(57)【要約】      （修正有）【課題】ワンタッチ操作で、被動軸と駆動軸を容易に連結できる２軸連結装置を提供する。【解決手段】第１軸と第２軸とを連結する連結装置であって、第１軸の先端外周に形成した軸方向に延びる突条と、第２軸の先端部に形成した、第１軸の先端部を嵌入する孔と、この孔の内周面に半径方向内方に突出して形成した、複数の突条と、この突条間に形成される第１軸の突条を嵌入せしめる溝とより成り、第１及び第２の軸の突条の端面が尖頭状とされている。【選択図】図２
0003159339.tif 000002
【実用新案登録請求の範囲】
【請求項１】
第１軸と第２軸とを連結する連結装置であって、上記第１軸の先端外周に形成した軸方向に延びる突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする２軸連結装置。
【請求項２】
第１軸と第２軸とを連結する連結装置であって、上記第１軸の先端外周に周方向に互いに離間して形成した軸方向に延びる複数の溝及びこの溝間に形成される突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする２軸連結装置。
【請求項３】
上記第１軸及び第２軸の何れか一方が被動軸であり、何れか他方が駆動軸であって上記駆動軸から上記被動軸に回転が伝達されることを特徴とする請求項１または２記載の２軸連結装置。
【請求項４】
上記駆動軸が可搬式駆動エンジンによって駆動されることを特徴とする請求項１、２または３記載の２軸連結装置。
【請求項５】
上記被動軸にアタッチメント式作業装置が接続されることを特徴とする請求項１、２、３または４記載の２軸連結装置。
【請求項６】
上記突条がインボリュートスプラインであることを特徴とする請求項１、２、３、４または５記載の２軸連結装置。
【請求項７】
上記突条が角形スプラインであることを特徴とする請求項１、２、３、４または５記載の２軸連結装置。
【請求項８】
上記第１軸と第２軸の突条の尖頭部が夫々の突条の先端部正面に形成した傾斜面及び先端部両側面に形成した傾斜面とにより形成されることを特徴とする請求項１、２、３、４、５、６または７記載の２軸連結装置。
【請求項９】
上記先端部両側面に形成された傾斜面が曲面であることを特徴とする請求項８記載の２軸連結装置。
【請求項１０】
上記第１軸と第２軸の何れか一方に作業装置が設けられており、何れか他方にこれを駆動するためのエンジンが設けられていることを特徴とする請求項１、２、３、４、５、６、７、８または９記載の２軸連結装置。
【考案の詳細な説明】
【技術分野】
【０００１】
本考案は２軸連結装置、特に、互いに軸方向に移動して連結される第１軸（駆動軸）と第２軸（被動軸）の端部に形成した連結装置に関するものである。
【背景技術】
【０００２】
駆動軸と被動軸の何れか一方の端部外周に互いに周方向に離間して突部を形成し、何れか他方に上記一方の端部を嵌入する孔を形成し、この孔の内周面に上記突部に合致する凹溝を形成し、上記突部を上記凹溝に挿入することによって上記一方及び他方の軸を回転動力伝達自在に連結する連結装置は既知である。
【０００３】
図８〜図１１はこのような連結装置を用いた刈払機の説明図を示し、１は刈刃等の作業装置、２は安全カバー、３は刈刃回転軸、４はこの回転軸３を保持する保持パイプ、５は可搬式駆動エンジン、６はエンジンハウジング、７は操作者、８は肩掛けバンド、９は操作ハンドル、１０はエンジン５によって駆動される駆動軸、１１はその保持パイプ、１２は被動軸３の、上記刈刃１と反対側の端部外周に形成した軸方向に延びる溝、１３はこの溝１２間に形成される突条、１４は駆動軸１０の外端部に形成した孔１５の内周面に形成した、上記突条１３に合致する形状の凹溝を示し、被動軸３の突条１３を駆動軸１０の凹溝１４内に挿入することによって両者を回転駆動伝達自在に連結せしめている。
【０００４】
このような動力装置では刈刃１の代りに縁取り刃、トリミング刃、ボーリング刃、ブロワー本機等を種々交換して使用するが、このような取替アタッチメント式ではその都度、被動軸と駆動軸を取り外し、取り付けることが必要となり、この場合上記突条と凹溝を円周方向で一致せしめる必要がある。このため操作者は重い被動軸と駆動軸を夫々手でつかんで軸方向に互いに接近せしめると共に互いに相対的に円周方向に回動せしめる作業が必要となり、この作業が極めて困難であった。
【考案の概要】
【考案が解決しようとする課題】
【０００５】
本考案は上記の欠点を除くようにしたものである。
【課題を解決するための手段】
【０００６】
本考案の２軸連結装置は、第１軸と第２軸とを連結する連結装置であって、上記第１軸の先端外周に形成した軸方向に延びる突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする。
【０００７】
また、本考案の２軸連結装置は、第１軸と第２軸とを連結する連結装置であって、上記第１軸の先端外周に周方向に互いに離間して形成した軸方向に延びる複数の溝及びこの溝間に形成される突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする。
【０００８】
上記第１軸及び第２軸の何れか一方が被動軸であり、何れか他方が駆動軸であって上記駆動軸から上記被動軸に回転が伝達されることを特徴とする。
【０００９】
上記駆動軸が可搬式駆動エンジンによって駆動されることを特徴とする。
【００１０】
上記被動軸にアタッチメント式作業装置が接続されることを特徴とする。
【００１１】
上記突条がインボリュートスプラインまたは角形スプラインであることを特徴とする。
【００１２】
上記第１軸と第２軸の突条の尖頭部が夫々の突条の先端部正面に形成した傾斜面及び先端部両側面に形成した傾斜面とにより形成されることを特徴とする。
【００１３】
また、上記先端部両側面に形成された傾斜面が曲面であることを特徴とする。
【００１４】
また、上記第１軸と第２軸の何れか一方に作業装置が設けられており、何れか他方にこれを駆動するためのエンジンが設けられていることを特徴とする。
【考案の効果】
【００１５】
本考案の２軸連結装置によればワンタッチ操作で被動軸と駆動軸を極めて容易に回転動力伝達自在に連結できるようになる大きな利益がある。
【図面の簡単な説明】
【００１６】
【図１】本考案の連結装置における被動軸の外端面図である。
【図２】図１に示す被動軸の平面図である。
【図３】図１のＡ−Ａ線断面図である。
【図４】図１のＢ−Ｂ線断面図である。
【図５】本考案の２軸連結装置における駆動軸の外端面図である。
【図６】図５のＡ−Ａ線断面図である。
【図７】図５のＢ−Ｂ線断面図である。
【図８】従来の刈払機の説明図である。
【図９】従来の連結装置の説明図である。
【図１０】従来の連結装置の説明図である。
【図１１】従来の連結装置の説明図である。
【考案を実施するための形態】
【００１７】
以下図面によって本考案の実施例を説明する。
【実施例１】
【００１８】
本考案においては、図１−図４に示すように被動軸３の端部外周に端部から所望の長さだけ軸方向に延びる、断面が例えば梯形状の所望の深さの溝１６を円周方向に互いに例えば６０°離間して６個切削し、この溝１６相互間に例えば断面矩形状の突条１７を形成せしめ、この突条１７の先端部正面を斜めにカットして先端部に上面から基底部に向って例えば２０°の角度の上方斜面１８を形成し、この斜面１８の中心線から左右に上記突条１７の両側底部に向って斜めにカットして両側方斜面１９を形成して上記突条１７の端面を尖頭状ならしめる。
【００１９】
また、図５〜図７に示すように駆動軸１０の先端部に、上記被動軸３の端部を嵌入せしめる大きさの筒状孔２０を形成し、この筒状孔２０の内周面に、上記被動軸３の溝１６に嵌入する、上記被動軸３の溝１６に対応する形状、数及び位置の突条２１を半径方向内方に突出形成し、この突条２１間に、上記被動軸３の突条１７を嵌入する断面形状の溝２２を形成せしめ、上記突条２１の先端部正面を斜めにカットして先端部に底面から上部に向って例えば２０°の角度の下方斜面２３を形成し、この斜面２３の中心線から左右に上記突条２１の下面から両側上部に向って斜めにカットして側方斜面２４を形成して上記突条２１の端面を尖頭状ならしめる。
【００２０】
本考案の２軸連結装置は上記のような構成であるから上記被動軸３の先端部を上記駆動軸１０の先端の孔２０内に軸方向に挿入せしめれば、被動軸３の突条１７の先端が駆動軸１０の突条２１の端面に突き当っても被動軸３の突条１７の先端も、また駆動軸１０の突条２１の先端も共に尖頭状であり、被動軸３と駆動軸１０は互いに軸方向に接近したとき夫々斜面１９、２４に沿って相対的に円周方向に移動し、被動軸３の突条１７は駆動軸１０内の溝２２内に嵌入し、また、駆動軸１０の突条２１は被動軸３の溝１６内に嵌入し、被動軸３と駆動軸１０は動力伝達可能に連結されるようになる。
【００２１】
なお、被動軸３を駆動軸とし、駆動軸１０を被動軸として用いても良い。
【００２２】
また、上記突条１７、２１はインボリュートスプラインまたは角形スプラインとしても良い。また、上記被動軸３の突条１７の数は１個でも良く、上記突条１７及び上記駆動軸１０の突条２１の傾斜面１９及び２４は曲面としても良い。
【符号の説明】
【００２３】
１  刈刃
２  安全カバー
３  刈刃回転軸（被動軸）
４  保持パイプ
５  駆動エンジン
６  エンジンハウジング
７  操作者
８  肩掛けバンド
９  操作ハンドル
１０  駆動軸
１１  保持パイプ
１２  溝
１３  突条
１４  凹溝
１５  孔
１６  溝
１７  突条
１８  上方斜面
１９  両側方斜面
２０  孔
２１  突条
２２  溝
２３  下方斜面
２４  側方斜面
【図１】
0003159339.tif 000003
【図２】
0003159339.tif 000004
【図３】
0003159339.tif 000005
【図４】
0003159339.tif 000006
【図５】
0003159339.tif 000007
【図６】
0003159339.tif 000008
【図７】
0003159339.tif 000009
【図８】
0003159339.tif 000010
【図９】
0003159339.tif 000011
【図１０】
0003159339.tif 000012
【図１１】
0003159339.tif 000013
【手続補正書】
【提出日】平成22年3月11日(2010.3.11)
【手続補正１】
【補正対象書類名】実用新案登録請求の範囲
【補正対象項目名】全文
【補正方法】変更
【補正の内容】
【実用新案登録請求の範囲】
【請求項１】
第１軸と第２軸とを連結する連結装置であって、上記第１軸の先端外周に形成した軸方向に延びる突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする２軸連結装置。
【請求項２】
第１軸と第２軸とを連結する連結装置であって、上記第１軸の先端外周に周方向に互いに離間して形成した軸方向に延びる複数の溝及びこの溝間に形成される突条と、上記第２軸の先端部に形成した、上記第１軸の先端部を嵌入する孔と、この孔の内周面に半径方向内方に突出して形成した複数の突条と、この突条間に形成される上記第１軸の突条を嵌入せしめる溝とより成り、上記第１及び第２の軸の突条の端面が尖頭状とされていることを特徴とする２軸連結装置。
【請求項３】
上記第１軸及び第２軸の何れか一方が被動軸であり、何れか他方が駆動軸であって上記駆動軸から上記被動軸に回転が伝達されることを特徴とする請求項１または２記載の２軸連結装置。
【請求項４】
上記駆動軸が可搬式駆動エンジンによって駆動されることを特徴とする請求項３記載の２軸連結装置。
【請求項５】
上記被動軸にアタッチメント式作業装置が接続されることを特徴とする請求項３記載の２軸連結装置。
【請求項６】
上記突条がインボリュートスプラインであることを特徴とする請求項１、２、３、４または５記載の２軸連結装置。
【請求項７】
上記突条が角形スプラインであることを特徴とする請求項１、２、３、４または５記載の２軸連結装置。
【請求項８】
上記第１軸と第２軸の突条の尖頭部が夫々の突条の先端部正面に形成した傾斜面及び先端部両側面に形成した傾斜面とにより形成されることを特徴とする請求項１、２、３、４、５、６または７記載の２軸連結装置。
【請求項９】
上記先端部両側面に形成された傾斜面が曲面であることを特徴とする請求項８記載の２軸連結装置。
【請求項１０】
上記第１軸と第２軸の何れか一方に作業装置が設けられており、何れか他方にこれを駆動するためのエンジンが設けられていることを特徴とする請求項１、２、３、４、５、６、７、８または９記載の２軸連結装置。